(57)【要約】【課題】  軒樋の容易かつ高精度な切断を可能とする軒樋切断治具を提供すること。【解決手段】  軒樋切断治具１は、軒樋３の外周面９に沿って形成され軒樋３に挟着可能な周壁７を有する一対の切断ガイド体２ａ，２ｂが軒樋３の延在方向に並設され、周壁７の互いに対向する端縁部１６にフランジ１３が形成されるとともに、周壁７又はフランジ１３に外側に向けて突出する連結部１５ａ，１５ｂ，１５ｃが形成され、フランジ１３が切断具１９の刃２０を案内可能なように並設する切断ガイド体２ａ，２ｂの間に刃２０の進入を許容する間隙２１を設けた状態で、連結部１５ａ，１５ｂ，１５ｃが連結ボス１８によって連結される。【選択図】      図１
2005344282.tif 000002
【特許請求の範囲】
【請求項１】
軒樋の外周面に沿って形成され該軒樋に挟着可能な周壁を有する一対の切断ガイド体が
前記軒樋の延在方向に並設され、
前記周壁の互いに対向する端縁部にフランジが形成されるとともに、前記周壁又は前記
フランジに外側に向けて突出する連結部が形成され、
前記フランジが切断具の刃を案内可能なように前記並設する切断ガイド体の間に前記刃
の進入を許容する間隙を設けた状態で、前記連結部が連結部材によって連結されることを
特徴とする軒樋切断治具。
【発明の詳細な説明】
【技術分野】
【０００１】
本発明は、軒樋を切断する際にその切断箇所をガイドする軒樋切断治具に関する。
【背景技術】
【０００２】
屋根の軒先に設けられる軒樋は、例えば略Ｕ字断面の軒樋本体と、この軒樋本体のＵ字
状の両側壁の上端縁部に沿って形成された耳部とを備えている。このような軒樋は施工現
場で所要の長さに切断された後、互いに連結されて軒先に取り付けられる。
【０００３】
ここで、施工現場において軒樋を簡単に切断するために、従来より軒樋切断治具が使用
されている。この従来の軒樋切断治具として、例えば非特許文献１に記載の軒樋切断治具
は、軒樋の外側に嵌着可能な切断治具本体と、この切断治具本体に形成されたフランジ状
のガイド当て面と、この切断治具本体を軒樋に固定するためのストッパ機構とを備え、切
断の際に軒樋の外側に取り付けられてガイドとなる。
【０００４】
すなわち、この従来の軒樋切断治具を用いて軒樋を切断するには、まず、軒樋の外側に
切断治具本体を嵌着し、ストッパ機構を用いて軒樋に切断治具本体を固定する。そして、
ガイド当て面に沿ってのこぎり等の切断具で軒樋を切断する。切断後には、ストッパ機構
を外して軒樋から切断治具本体を取り外すようにする。
【０００５】
ところで、軒樋の切断の際には、のこぎりの押圧に抵抗する力が軒樋側からこののこぎ
りに加えられることによりどうしてものこぎりがぶれ易くなり、軒樋の切断線を垂直かつ
直線的にすることが困難である。このような状態で切断された軒樋同士を突き合わせて連
結すると、当接部分に隙間等が生じ外観不良や漏水の原因となるが、従来のような軒樋切
断治具ではこのような切断精度の問題を解消することができなかった。
【非特許文献１】発明協会公開技報公技番号２００２−５０１０００号
【発明の開示】
【発明が解決しようとする課題】
【０００６】
本発明は、このような問題に鑑みてなされたもので、軒樋の容易かつ高精度な切断を可
能とする軒樋切断治具を提供することを課題としている。
【課題を解決するための手段】
【０００７】
このような課題を解決するために、請求項１に記載の発明は、軒樋の外周面に沿って形
成され該軒樋に挟着可能な周壁を有する一対の切断ガイド体が前記軒樋の延在方向に並設
され、前記周壁の互いに対向する端縁部にフランジが形成されるとともに、前記周壁又は
前記フランジに外側に向けて突出する連結部が形成され、前記フランジが切断具の刃を案
内可能なように前記並設する切断ガイド体の間に前記刃の進入を許容する間隙を設けた状
態で、前記連結部が連結部材によって連結されることを特徴とする。
【発明の効果】
【０００８】
本発明に係る軒樋切断治具では、フランジが切断具の刃を案内可能なように、並設する
切断ガイド体の間に刃の進入を許容する間隙を設けた状態で、連結部が連結部材によって
連結されているので、間隙に挿入された刃はフランジによって軒樋の延在方向両側から押
さえられる。この状態で切断作業を行えば、切断具の押圧に抵抗しようとする力が軒樋側
から刃に加わっても、刃はフランジに押さえられて、ぶれるようなことがない。したがっ
て、軒樋を容易かつ高精度に切断することが可能となる。
【発明を実施するための最良の形態】
【０００９】
以下、図面を参照して本発明の実施の形態について説明する。図１、図２及び図３は、
本発明の実施の形態に係る軒樋切断治具を示す。この軒樋切断治具１は、建物の屋根の軒
先に設けられる軒樋を切断する際に用いられ、軒樋に外側から挟着して軒樋の切断箇所を
ガイドするものである。
【００１０】
軒樋切断治具１は、一対の切断ガイド体２ａ，２ｂが軒樋３の延在方向に並設した状態
で連結ボス（連結部材）１８によって連結固定されてなっている。切断ガイド体２ａ，２
ｂは、お互いに左右対称となっており、それぞれ平面視矩形状の底壁４の前側部から前側
壁５が起立するとともに、後側部からは後側壁６が起立している。これらの周壁７（底壁
４、前側壁５及び後側壁６）の内周面８は軒樋３の外周面９に沿って形成されて、切断ガ
イド体２ａ，２ｂ、すなわち軒樋切断治具１が軒樋３に外側から挟着可能となっている。
また、前側壁５の上端縁部１０は断面コ字状に屈曲されて外側に向けて突出形成され、内
側が嵌合溝１１となっている。一方、後側壁６の上端縁部１２は内側に屈曲されて内側に
嵌合溝２２が形成されている。
【００１１】
切断ガイド体２ａ，２ｂの周壁７の互いに対向する端縁部１６には、外側に起立するフ
ランジ１３が設けられている。フランジ１３のそれぞれ対向する端面１４は、軒樋３の延
在方向に対して垂直に形成されている。
【００１２】
フランジ１３には外側に向けて突出する三つの連結部１５ａ，１５ｂ，１５ｃが形成さ
れている。詳しくは、連結部１５ａは前側壁５の上端縁部１０の近傍から上方に突出し、
連結部１５ｂは後側壁６の上端縁部１２の近傍から上方に突出している。また、連結部１
５ｃは底壁４の中央近傍から下方に突出している。また、連結部１５ａ，１５ｂ，１５ｃ
の先端部にはそれぞれボス孔１７ａ，１７ｂ，１７ｃが形成されている。このボス孔１７
ａから上端縁部１０までの長さは切断具１９の刃２０（図４参照）が進入可能なように刃
２０の高さ（刃２０の長手方向と直交する方向の長さ）よりも長くなっている。また、ボ
ス孔１７ｂから上端縁部１２までの長さ及びボス孔１７ｃから底壁４までの長さも同様に
刃２０の高さよりも長くなっている。これより、ボス孔１７ａ，１７ｂ，１７ｃを貫通す
る連結ボス１８によって刃２０の進入が妨げられるようなことがなく、軒樋３の上端縁部
１０，１２から底壁４まで切断することができる。
【００１３】
これらの各ボス孔１７ａ，１７ｂ，１７ｃに各連結ボス１８が挿入されて締結されるこ
とにより、切断ガイド体２ａの連結部１５ａ，１５ｂ，１５ｃと切断ガイド体２ｂの連結
部１５ａ，１５ｂ，１５ｃとがそれぞれ連結される。このとき、切断ガイド体２ａと切断
ガイド体２ｂとの間（フランジ１３，１３の間）には、のこぎり等の切断具１９の刃２０
の肉厚と略同程度の幅の間隙２１が形成されるように、切断ガイド体２ａと切断ガイド体
２ｂとが相互に位置決めされて連結固定される。これによって、切断ガイド体２ａと切断
ガイド体２ｂとの間の間隙２１に切断具１９の刃２０の進入が許容されるようになってい
る。
【００１４】
この軒樋切断治具１が挟着する軒樋３は、延在する底壁２４の前側部から前側壁２５が
起立するとともに、後側部からは後側壁２６が起立して内側に排水路となる溝２７が形成
されている。また、前側壁２５は外側に向けて若干膨出して形成され、底壁２４の近傍に
段部２８を有する。さらに、前側壁２５の上端縁部２９及び後側壁２６の上端縁部３０に
はそれぞれ中空の耳部３１，３２が形成されている。
【００１５】
この軒樋３を軒樋切断治具１を用いて切断するには、まず軒樋３の外周面９に軒樋切断
治具１の内周面８を沿わせるように、軒樋３の一方の長手方向端部３３から軒樋切断治具
１をスライドさせて、軒樋切断治具１が軒樋３を挟むようにする。そして、軒樋切断治具
１のフランジ１３，１３間の間隙２１が、軒樋３の所望の切断線上にくるまで軒樋切断治
具１をスライド移動させる。このとき、軒樋切断治具１の前側壁５の嵌合溝１１に軒樋３
の前側壁２５の耳部３１が、また軒樋切断治具１の後側壁６の嵌合溝２２に軒樋３の後側
壁２６の耳部３２が入り込んで嵌合するため、軒樋切断治具１がスライド中にぶれたりせ
ずスムースにスライド移動が可能なようになっている。
【００１６】
軒樋３の所望の切断線上に間隙２１を合わせて軒樋切断治具１を移動させたら、そこで
軒樋切断治具１を固定して、例えば図４に示すように、ボス孔１７ａの連結ボス１８と軒
樋３の耳部３１との間から間隙２１に切断具１９の刃２０を進入させる。そして、フラン
ジ１３の端面１４に刃２０を沿わせながら刃２０を下方に移動させて軒樋３を切断する。
【００１７】
この実施の形態に係る軒樋切断治具１では、フランジ１３が切断具１９の刃２０を案内
可能なように、並設する切断ガイド体２ａ，２ｂがその間に刃２０の進入を許容する間隙
２１を設けた状態で互いに連結されているので、間隙２１に挿入された刃２０はフランジ
１３によって軒樋３の延在方向両側から押さえられる。この状態で切断作業を行えば、切
断具１９の押圧に抵抗しようとする力が軒樋３側から刃２０に加わっても、刃２０はフラ
ンジ１３に押さえられて、ぶれるようなことがない。したがって、軒樋３を高精度に、す
なわち垂直かつ直線的に容易に切断することが可能となり、軒樋の外観不良や漏水の問題
を防止することができる。
【００１８】
また、軒樋切断治具１の嵌合溝１１，２２に軒樋３の耳部３１，３２がそれぞれ嵌合す
るので、軒樋切断治具１が軒樋３に対してずれたりしないように軒樋切断治具１を簡単に
固定することができる。したがって、切断作業中に軒樋切断治具１が動くことにより切断
精度が低下するようなことが防止される。
【００１９】
なお、本発明は上述した実施の形態に限られるものではなく、例えば本実施の形態に係
る軒樋切断治具１では、連結部１５ａ，１５ｂ，１５ｃを連結ボス１８で連結することに
よって、切断ガイド体２ａ，２ｂを連結固定するようにしたが、これに限られず、例えば
連結部と連結部材とが一体に形成されることにより切断ガイド体２ａ，２ｂが一体に連結
されて形成されていてもよい。
【００２０】
また、連結部１５ａ，１５ｂ，１５ｃはフランジ１３に形成されているものとして説明
したが、外側に向けて突出していればこれに限られず、例えば周壁７に形成されていても
よい。さらに、連結部は三つに限られず必要に応じて適宜任意の個数とすることができる
。
【図面の簡単な説明】
【００２１】
【図１】本発明の実施の形態に係る軒樋切断治具が軒樋に取り付けられた状態を示す斜視図である。
【図２】図１の軒樋切断治具の分解斜視図である。
【図３】図１の軒樋切断治具を示し、（ａ）は平面図であり、（ｂ）は（ａ）のＡ−Ａ’位置における断面図であり、（ｃ）は右側面図である。
【図４】図１の軒樋切断治具を用いて軒樋を切断する際の切断方法を説明するための図である。
【符号の説明】
【００２２】
１                            軒樋切断治具
２ａ、２ｂ                    切断ガイド体
３                            軒樋
７                            周壁
９                            外周面
１３                          フランジ
１５ａ、１５ｂ、１５ｃ        連結部
１６                          端縁部
１８                          連結ボス（連結部材）
１９                          切断具
２０                          刃
２１                          間隙
【図１】
2005344282.tif 000003
【図２】
2005344282.tif 000004
【図３】
2005344282.tif 000005
【図４】
2005344282.tif 000006